(57)【要約】【目的】早急かつ確実に救命具を使用状態にでき、かつ装着していても作業に困難を伴わない救命具であって、気室の一部が破損しても、浮力を確保可能な救命具を提供する。【構成】膨張したときに、装着者の腋の下を挿通する二つの腕状部分１１とこれらの腕状部分と連結する給気部分１２とを備えた気室１を有し、前記腕状部分の他方の端部あるいは端部近傍に装着者の腰に装着するためのベルト４を備えている救命具において、前記腕状部分および給気部分はそれぞれ独立気室になっており、前記給気部分と腕状部分との境界に給気部分より腕状部分へのみ気体を流通させることができる逆止弁を備えていることを特徴とする。【選択図】  図１
2005053342.tif 000002
【特許請求の範囲】
【請求項１】
膨張したときに、装着者の腋の下を挿通する二つの腕状部分とこれらの腕状部分を連結する給気部分とを備えた気室と、前記給気部分に気体を注入するためのボンベとを有し、前記腕状部分の一方の端部あるいは端部近傍に装着者の腰に装着するためのベルトを備えている救命具において、前記腕状部分および給気部分はそれぞれ独立気室になっており、前記給気部分と腕状部分との境界に給気部分より腕状部分へのみ気体を流通させることができる逆止弁を備えていることを特徴とする救命具。
【請求項２】
前記気室は、折り畳まれてポーチ内に収納され、前記ポーチの側部より前記ベルトが伸長しており、前記ベルトによって、前記ポーチは装着者の腰に固定されることを特徴とする請求項１記載の救命具。
【請求項３】
前記ポーチは、ポーチ本体と、ポーチ本体の左右側部に設けられ、かつ貫通する鳩目穴を有する側面フラップとを備え、前記給気部分は、前記給気部分の外側に索を介して設けられた閉鎖ピンが外側に来るように、ポーチ本体の中央部に折り畳まれ、前記腕状部分は、前記ポーチ本体の端部に前記腕状部分の外側に設けられた閉鎖ループが露出するように折り畳まれるとともに、少なくとも２つの鳩目穴を備えたベルトを側面フラップ方向に引き出し、前記腕状部分を覆うように折曲された側面フラップの下面を通り、その端部を折り返して上面を通って、前記ポーチ側部より伸長するようにし、かつ前記ベルトの鳩目穴および側面フラップの鳩目穴に閉鎖ループを貫通させ、前記閉鎖ループに閉鎖ピンを貫通して、前記腕状部分を収納するようにした請求項２記載の救命具。
【請求項４】
前記ベルトは腕状部分の他方の先端に取り付けられており、前記腕状部分の内側に設けられたテープを潜通し、緊締できるようになっていることを特徴とする請求項１〜３のいずれか１項記載の救命具。
【発明の詳細な説明】
【技術分野】
【０００１】
本発明は救命具、さらに詳細には不慮の場合に容易に使用状態になり、かつ通常の作業で装着していても活動しやすい救命具に関する。
【背景技術】
【０００２】
図７は従来の首掛け式の救命具の正面図であるが、この図より明らかなように、救命具本体（図示せず）とほぼ同形状の包装袋２中に収納されており、前記包装袋２内に収納された救命具本体を首にかける形で装着していた。このような首掛け式の救命具の場合、救命具本体が膨張したときに、直ちに救命具本体を装着でき、救命のためには、有利である。しかしながら、通常の作業を行う場合には、胸近辺を覆っているため、作業の邪魔になることが多い。さらに救命具の重量が装着者の首に多大に負荷されることになるという欠点もある。
【０００３】
図８は上述のような欠点を除去したウエストポーチ式救命具であるが、この救命具によれば、救命具本体Ｓはポーチ３内に収納されており、ベルト４によって、装着者の前に（腹部分）装着される。この場合には、首掛け式と異なり、作業の邪魔になることも少なく、首に負担をかける恐れもないという利点がある反面、前記救命具本体Ｓが膨張したとき、救命具本体Ｓを首掛け状に装着するため、形成されている穴部１０に首を通す必要があると言う欠点がある。このように穴部１０に首を通す行動は、緊急の場合には困難を伴うことも多い。
【０００４】
上記のような問題点を解決するため、本発明者らは、膨張したときに、装着者の腋の下を挿通する二つの腕状部分とこれらの腕状部分に連結する給気部分とを備えた気室を有し、前記腕状部分の他方の端部あるいは端部近傍に装着者の腰に装着するためのベルトを備えている救命具を開発した（特願２００２−３６３５７４号明細書）。このような救命具によれば、腰部分に装着する、いわゆるウエストポーチ式であるため、船上における作業の邪魔にならないという利点があり、さらに、腰部分にポーチを装着するようになっているために、水中において、首を救命具本体に挿入することなく、自動的に装着状態になり、パニック状態であっても、確実に浮力を得るという利点がある。
【０００５】
しかしながら、上述のような救命具は、基本的に腕状部分および給気部分は連通しており、気室にピンホールなどを生じた場合には、気体が抜けて浮力を失うという恐れがあった。
【特許文献１】特願２００２−３６３５７４号明細書
【発明の開示】
【発明が解決しようとする課題】
【０００６】
本発明は上述の問題点に鑑みなされたものであり、早急かつ確実に救命具を使用状態にでき、かつ装着していても作業に困難を伴わない救命具であって、気室の一部が破損しても、浮力を確保可能な救命具を提供することを目的とする。
【課題を解決するための手段】
【０００７】
上記問題点を解決するため、本発明による救命具は、膨張したときに、装着者の腋の下を挿通する二つの腕状部分とこれらの腕状部分と連結する給気部分とを備えた気室を有し、前記腕状部分の他方の端部あるいは端部近傍に装着者の腰に装着するためのベルトを備えている救命具において、前記腕状部分および給気部分はそれぞれ独立気室になっており、前記給気部分と腕状部分との境界に給気部分より腕状部分へのみ気体を流通させることができる逆止弁を備えていることを特徴とする。
【０００８】
本発明による救命具においては、腰部分に装着する、いわゆるウエストポーチ式であるため、船上における作業の邪魔にならないという利点があり、腰部分にポーチを装着するようになっているために、水中において、首を救命具本体に挿入することなく、自動的に装着状態になり、パニック状態であっても、確実に浮力を得るという利点がある。また、給気部分に気体を注入することによって、独立した二つの腕状部分を逆止弁の作用により膨張可能で、さらに、腕状部分および給気部分は独立気室になっているため、一部が破損しても腕状部分のいずれかは浮力を確保することが可能であり、安全性が著しく向上する。
【発明の効果】
【０００９】
本発明による救命具においては、腰部分に装着する、いわゆるウエストポーチ式であるため、船上における作業の邪魔にならないという利点があり、腰部分にポーチを装着するようになっているために、水中において、首を救命具本体に挿入することなく、自動的に装着状態になり、パニック状態であっても、確実に浮力を得るという利点がある。また、給気部分に気体を注入することによって、独立した二つの腕状部分を逆止弁の作用により膨張可能で、さらに、腕状部分および給気部分は独立気室になっているため、一部が破損しても腕状部分のいずれかは浮力を確保することが可能であり、安全性が著しく向上する。
【実施例】
【００１０】
図１は本発明による救命具の気室を膨張させたときの図、図２は救命具が膨張していないときの平面図であるが、これらの図より明らかなように、救命具本体Ｓは、気体の流入によって膨張する気室１とこの気室１の開口端部付近に設けられたベルト４を備えた構造になっている。
【００１１】
前記気室１は、膨張したときに、装着者Ｈ（図３参照）の腋の下を挿通するようになっているほぼ平行な二つの腕状部分１１とこの二つの腕状部分１１に接続した給気部分１２よりなっており、前記腕状部分１１及び給気部分１２はそれぞれ独立した気室を構成している。前記給気部分１２には、この給気部分１２に気体を注入するためのボンベ５が備えられている。前記腕状部分１１と給気部分１２の境界には、給気部分１２よりの気体は通過させるが、腕状部分１１より給気部分１２への気体を通過させないような逆止弁１３が設けられている。したがって、このボンベ５を作動させて気体（たとえば炭酸ガス）を給気部分１２に給気することにより、気体は逆止弁１３を介して、腕状部分１１に流通し、二つの腕状部分１１を膨張させることができる。
【００１２】
一方、一つの腕状部分１１に気体漏れを生じたときには、前記逆止弁１３は腕状部分１１より給気部分１２への気体を通過させないため、他方の腕状部分１１の気体は漏洩せず、浮力を保持することができる（この場合、給気部分１２の気体は逆止弁を介して漏洩する）。一方、給気部分１２に気体の漏洩が生じたときには、逆止弁１３の作用によって、二つの腕状部分１１の気体漏洩は防止でき、良好な浮力を確保することができる。
【００１３】
前記ベルト４は前記腕状部分１１の一方の先端部に固定されており、腕状部分１１の内側（装着者Ｈ側）の周方向に形成されたテープ４１を通過して折り返し、長さを調整可能なバックル４２に接続している。
【００１４】
このベルト４によって、ポーチ３に収納された救命具本体Ｓを装着者Ｈの腰部分に脱着できるようになっている（図４参照）。
【００１５】
図５は、前記救命具を収納するためのポーチ３の開いたときの平面図であるが、この実施例においては、救命具を収納するための底面となる長方形状のポーチ本体３１とこのポーチ本体３１の左右側辺に形成され、図面手前方向に折曲可能な２つの側面フラップ３２と前記ポーチ本体３１の上下辺に設けられ、図面手前方向に折曲可能な上部フラップ３３と下部フラップ３３’を有している。前記側面フラップ３２は鳩目穴３２１が形成されており、一方、上部フラップ３３には面ファスナー３３１が内側に（図面手前側）設けられ、下部フラップ３３’には外側の対応する位置に面ファスナー３３１が備えられている。
【００１６】
このようなポーチ３を使用して、前記救命具を収納するには、たとえば図６のようにする。  このような包装袋３を使用して、前記救命具を収納するには、たとえば図１０のようにする。すなわち、前記給気部分７２の連結する部分より装着者にとって後方になる後方部分７１２を一方の端部部分で蛇腹状に折り畳み収納する。
【００１７】
次いで腕状部分７１の、前記給気部分７２の連結する部分より装着者Ｈにとって前方になる前方部分７１１を、前記腕状部分７１の外側に設けられた閉鎖ループ７４が取り出しやすいように折り畳む。さらに包装袋本体３１に給気部分７２を包装袋本体３１の中央部で蛇腹状に折り畳み、前記給気部分７２の外側に設けられるボンベ８およびこのボンベ近傍に索を介して固定された閉鎖ピン７５が外側になるようにする。
【００１８】
次いで前記側面フラップ３２を前記折り畳んだポーチ本体端部部分に折り畳んだ腕状部分１１に被せる。腕状部分１１の先端に固定されたベルト４を、前記側面フラップ３２の下面および先端を折り返して上面を沿うように上方に引き出す。このときベルト４の鳩目穴４３および４３’が側面フラップ３２の鳩目穴３２１に対応する位置になるようにする。前記の外側に設けられたループ１４を前記鳩目穴４３，３２１，４３’に貫通させ、給気部分１２の外側に索を介して固定された閉鎖ピン１５を前記ループ１４に貫通させて固定する。
【００１９】
上述のように給気部分１２および両方の腕状部分１１を折り畳んだ後、下部フラップ３３’を被せ、さらに上部フラップ３３を重ね合わせて、面ファスナー３３１で固定することにより収納することができる。
【００２０】
このようなポーチ構造とすることによって、通常装着時にはポーチ３のフラップ３２，３３、３３’が不時解放されることなく、気室の膨張時には前記フラップが確実に、かつ迅速に解放され、良好な浮遊姿勢を取ることができる。
【００２１】
このような本発明の救命具を使用するに際しては、前述のように、救命具本体が蛇腹状に収納されたポーチ３が、図４に示すように、装着者Ｈの腰部分になるようにベルト４によって装着する。この実施例の救命具においては水に濡れると、自動的にボンベ５が作動するようになっているため、水中に落下したとき、ボンベ５より気体が気室１に注入される。装着者Ｈが作動索（図示せず）を引くことによって、ボンベ５を作動させるようにしてもよい。
【００２２】
前記腕状部分１１と給気部分１２の境界には、給気部分１２よりの気体は通過させるが、腕状部分１１より給気部分１２への気体を通過させないような逆止弁１３が設けられている。このため、気体はまず、給気部分１２を膨張させ、その圧力によって、逆止弁１３を介して二つの腕状部分１１を膨張させる。
【００２３】
このとき、給気部分１２の外側に索を介して固定されている閉鎖ピン１５は、前記給気部分１２の膨張にともない、引っ張られることになり、閉鎖ループ１４から抜脱することになる。同時に、気室１の膨張による内側からの圧力によって、面ファスナー３３１も剥離して、ポーチ３が自動的に開放されるようになっている。
【００２４】
気窒１が膨張すると、気室１の二つの腕状部分１１は、結果として装着者Ｈの両方の腋の下を挿通するようになる。
【００２５】
このように、浮力を確保したとき、安定性を向上させるためにバックル４２によってベルト４の長さを調整し、装着者Ｈと気室１およびベルト４と密着するようにすることができる。
【００２６】
このような状態で、万一、気体の漏洩を生じた場合には、本発明においては、二つの腕状部分１１および給気部分１２はそれぞれ独立した気室になっており、しかも、前記腕状部分１１と給気部分１２の境界には、給気部分１２よりの気体は通過させるが、腕状部分１１より給気部分１２への気体を通過させないような逆止弁１３が設けられている。このため、一つの腕状部分１１に気体漏れを生じたときには、前記逆止弁１３が腕状部分１１より給気部分１２へ気体を通過させないため、他方の腕状部分１１の気体は漏洩せず、浮力を保持することができる（この場合、給気部分１２の気体は逆止弁を介して漏洩する）。一方、給気部分１２に気体の漏洩が生じたときには、逆止弁１３の作用によって、二つの腕状部分１１の気体漏洩は防止でき、良好な浮力を確保することができる。
【図面の簡単な説明】
【００２７】
【図１】本発明の救命具の一実施例の膨張したときの平面図。
【図２】本発明の救命具の一実施例の膨張していないときの平面図。
【図３】本発明の救命具が使用された状態の斜視図。
【図４】本発明の救命具の装着状態を示す説明図
【図５】本発明に使用されるポーチの平面図。
【図６】本発明の救命具を収納した状態の模式図。
【図７】従来の救命具の正面図。
【図８】従来の他の例を示す正面図。
【符号の説明】
【００２８】
１            気室
１１            腕状部分
１２            給気部分
１３            逆止弁
１４            閉鎖ループ
１５            閉鎖ピン
２            包装袋
３            ポーチ
３１            ポーチ本体
３２            側面フラップ
３３            上部フラップ
３３’          下部フラップ
４            ベルト
４１            テープ
４２            バックル
４３            鳩目穴
４３’          鳩目穴
５            ボンベ
１０            穴部
Ｓ            救命具本体
Ｈ            装着者
【図１】
2005053342.tif 000003
【図２】
2005053342.tif 000004
【図３】
2005053342.tif 000005
【図４】
2005053342.tif 000006
【図５】
2005053342.tif 000007
【図６】
2005053342.tif 000008
【図７】
2005053342.tif 000009
【図８】
2005053342.tif 000010